(57)【特許請求の範囲】
【請求項１】
第１カップと第２カップとがカップの内部が対面するように重ねられて電極組立体を収納可能な電極組立体収容部を形成するパウチ外装材であって、
前記パウチ外装材は、一枚のパウチフィルムから形成されたものであって、かつ前記第１カップと第２カップとが所定の幅Ｗを有するカップ連結部を介在して離隔しており、前記パウチ外装材の外周面には前記カップ及びカップ連結部から延設されたシーリング部が備えられるように一体に形成され、
前記カップは、それぞれ、前記カップ連結部から延びる第１側面部及び前記第１側面部と対向する第２側面部を含み、前記第１カップの第１側面部の高さＨａ１と第２カップの第１側面部の高さＨａ２と前記幅Ｗとの和が第１カップの第２側面部の高さＨｂ１と第２カップの第２側面部の高さＨｂ２との和と同一であるパウチ外装材。
【請求項２】
前記パウチ外装材は、収納される電極組立体の電極端子が第１カップと第２カップとの第２側面部から延びたシーリング部の間から引き出されるものである請求項１に記載のパウチ外装材。
【請求項３】
前記カップのそれぞれの第１側面部と第２側面部とは、対向する２つの第３側面部を介して連結されている請求項１に記載のパウチ外装材。
【請求項４】
前記第３側面部が第１側面部と連結される辺の長さは、第２側面部と連結される辺の長さより短い請求項３に記載のパウチ外装材。
【請求項５】
前記第３側面部とシーリング部との間に第１側面部と第２側面部との高さの差を補う段差補償部が備えられ、前記段差補償部は前記第３側面部と一辺を共有する三角形状に形成される請求項３に記載のパウチ外装材。
【請求項６】
前記段差補償部は、前記第１側面部の一辺から延びる段差補償部の一辺の長さが第１側面部と第２側面部との高さの差と同一であるか、または、前記高さの差より長い請求項５に記載のパウチ外装材。
【請求項７】
前記第３側面部及び前記段差補償部は、前記パウチ外装材の電極組立体収容部の一内側面部を形成する請求項５に記載のパウチ外装材。
【請求項８】
前記段差補償部は、パウチ外装材を組み立てるとき、第３側面部上の平面から外側に突出する請求項５に記載のパウチ外装材。
【請求項９】
前記第１カップの第１段差補償部、第２カップの段差補償部、シーリング部及びカップ連結部が長方形の折曲部とそれぞれ一辺を共有し、前記折曲部を通じて互いに連結されている請求項５に記載のパウチ外装材。
【請求項１０】
前記折曲部は、電極組立体を収納するとき、パウチ外装材の内側に折り曲げられて外側に
突出しない請求項９に記載のパウチ外装材。
【発明の詳細な説明】
【技術分野】
【０００１】
本発明は、電極組立体を収納する二次電池用パウチ外装材に関し、より詳しくは、電極組立体収容部を形成する２つのカップが１つのパウチフィルムに一体に形成されたパウチ外装材に関する。
【０００２】
本出願は、２０１５年１１月３日出願の韓国特許出願第１０−２０１５−０１５４００６号に基づく優先権を主張し、該当出願の明細書及び図面に開示された内容は、すべて本出願に援用される。
【背景技術】
【０００３】
近年、ノートパソコン、ビデオカメラ、携帯電話などのような携帯用電子製品の需要が急激に伸び、電気自動車、エネルギー貯蔵用蓄電池、ロボット、衛星などの開発が本格化するにつれて、繰り返して充放電可能な高性能二次電池に対する研究が活発に行われている。
【０００４】
現在、ニッケルカドミウム電池、ニッケル水素電池、ニッケル亜鉛電池、リチウム二次電池などの二次電池が商用化しているが、そのうちリチウム二次電池は、ニッケル系列の二次電池に比べて、メモリ効果がほとんど起きず、充放電自在であり、自己放電率が非常に低く、さらにエネルギー密度が高いという長所から脚光を浴びている。一般に、このような二次電池は、外装や適用形態によって缶型二次電池とパウチ型二次電池とに分けられる。
【０００５】
図１及び図２ａは、従来のパウチ型二次電池の構成を示した分解斜視図である。図１に示されたように、従来のパウチ型二次電池１ａは、電極端子２１が備えられた電極組立体２０、及び前記電極組立体２０を収容するパウチ外装部材１０ａを含む。
【０００６】
図１を参照すれば、電極組立体収容部の周縁にシーリング部４０が備えられ、電池の全体長さｌａ（全長）は電極組立体収容部の長さと電極組立体収容部の両端に備えられた２ヶ所のシーリング部４０の幅とによって決められる。したがって、図１に示されたように、上部パウチ部材１１ａと下部パウチ部材１２ａとが個別的に設けられる場合は、電極組立体収容部の４辺全てにシーリング部が形成されるため、シーリング部の幅だけ全長が増加する。
【０００７】
図２ａは、従来の他の形態のパウチ型二次電池２ｂの分解斜視図であって、１つのパウチフィルムに上部パウチ部材と下部パウチ部材とを一体に形成したものである。これを参照すれば、一側のパウチ部材に電極組立体収容部を形成し、前記パウチフィルムの所定部分を折り曲げて、他側のパウチ部材で前記電極組立体収容部の開放部を覆った後、上部パウチ部材と下部パウチ部材とをシーリングする。この場合は、上部パウチと下部パウチとが連結された連結部を除いた他の３つの側面部にシーリング部が形成される。前記二次電池１ｂは、二次電池１ａに比べてシーリング部１つの幅だけ全長ｌａが減少する。しかし、シーリング部が形成されない連結部の場合にも、シーリングの後、一定部分が外側に突出することがある。図２ｂは、二次電池１ｂの形態の実際の製造例を示した写真であって、上部パウチ部材と下部パウチ部材とが連結される折曲部分が突出していることを確認できる。そのため、前記二次電池１ｂの形態でパウチ外装材を形成しても、二次電池１ａに比べて全長減少の効果は大きくない。これは、パウチ外装材に電解液を注液してからシーリングするとき、電池の内部に空気を残さないために印加される真空によって上部パウチ部材と下部パウチ部材との連結部周縁が当接することで生じる現象であると考えられる。
【０００８】
そこで、上部パウチ部材と下部パウチ部材との連結部分がシーリング後にも突出しないように構成されたパウチ外装材の開発が求められている。
【発明の概要】
【発明が解決しようとする課題】
【０００９】
本発明は、上部パウチ部材と下部パウチ部材とが一体に形成されたパウチ外装材において、パウチ外装材をシーリングした後、上／下部パウチの連結部分が外側に突出しないパウチ外装材を提供することを目的とする。
【００１０】
本発明の他の目的及び長所は、下記する説明によって理解できるであろう。また、本発明の目的及び長所は、特許請求の範囲に示される手段または方法、及びその組合せによって実現することができる。
【課題を解決するための手段】
【００１１】
本発明は、上記の技術的課題を解決するためのパウチ外装材に関する。
本発明の第１態様によれば、前記パウチ外装材は、第１カップ（ｃｕｐ）と第２カップ（ｃｕｐ）とがカップの内部（ｉｎｓｉｄｅ）が対面するように重ねられて電極組立体を収納可能な電極組立体収容部を形成し、前記第１カップと第２カップとが所定の幅Ｗを有するカップ連結部を介在して離隔しており、前記パウチ外装材の外周面には前記カップ及びカップ連結部から延設されたシーリング部が備えられるように一体に形成され、ここで、前記カップは、それぞれ、前記カップ連結部から延びる第１側面部及び前記第１側面部と対向する第２側面部を含み、前記第１カップの第１側面部の高さＨａ１と第２カップの第１側面部の高さＨａ２と前記幅Ｗとの和が第１カップの第２側面部の高さＨｂ１と第２カップの第２側面部の高さＨｂ２との和と同一である。
【００１２】
本発明の第２態様によれば、第１態様において、前記パウチ外装材に収納される電極組立体の電極端子は第１カップと第２カップとの第２側面部から延びたシーリング部の間から引き出される。
【００１３】
本発明の第３態様によれば、第１または第２態様において、前記カップのそれぞれの第１側面部と第２側面部とは、対向する２つの第３側面部を介して連結される。
【００１４】
本発明の第４態様によれば、第３態様において、前記第３側面部が第１側面部と連結される辺の長さは、第２側面部と連結される辺の長さより短い。
【００１５】
本発明の第５態様によれば、第３態様において、前記第３側面部とシーリング部との間に第１側面部と第２側面部との高さの差を補う段差補償部が備えられ、前記段差補償部は前記第３側面部と一辺を共有する三角形状に形成される。
【００１６】
本発明の第６態様によれば、第５態様において、前記段差補償部は、前記第１側面部の一辺から延びる段差補償部の一辺の長さが第１側面部と第２側面部との高さの差と同一であるか、または、高さの差より長い。
【００１７】
本発明の第７態様によれば、第５態様において、前記第３側面部及び前記段差補償部は、前記パウチ外装材の電極組立体収容部の一内側面部を形成する。
【００１８】
本発明の第８態様によれば、第５態様において、前記段差補償部は、パウチ外装材を組み立てるとき、第３側面部上の平面から外側に突出する。
【００１９】
本発明の第９態様によれば、第５態様において、前記第１カップの第１段差補償部、第２カップの段差補償部、シーリング部及びカップ連結部が長方形の折曲部とそれぞれ一辺を共有し、前記折曲部を通じて互いに連結される。
【００２０】
また、本発明の第１０態様によれば、第１〜第９態様のうちいずれか１つにおいて、前記折曲部は、電極組立体を収納するとき、パウチ外装材の内側に折り曲げられて外側に突出しない。
【発明の効果】
【００２１】
本発明によるパウチ外装材は、上部パウチ部材と下部パウチ部材とが一体に形成され、上／下部パウチの連結部分が外側に突出しないため、電池の全長が減少する効果がある。
【図面の簡単な説明】
【００２２】
添付される図面は発明の望ましい実施例を例示するものであり、詳細な説明とともに本発明の原理を説明するが、発明の範囲を限定するものではない。一方、本明細書に記載された図面における要素の形状、大きさ、縮尺または比率などは、より明確な説明を強調するため誇張され得る。
【図１】従来のパウチ外装材の構成を示した分解斜視図である。
【図２ａ】従来の他のパウチ外装材の構成を示した分解斜視図である。
【図２ｂ】従来の他のパウチ外装材の構成を示した分解斜視図である。
【図３】本発明によるパウチ外装材の分解斜視図である。
【図４】本発明によるパウチ外装材に電極組立体が収納される具体的な具現例を概略的に示した図である。
【図５】本発明によるパウチ外装材に電極組立体を収納した後、密封した組立図である。
【図６】本発明による他のパウチ外装材において、パウチ外装材を組み立てるとき、折曲部及び折曲部に連結されたシーリング部が折り曲げられる方式の具体的な具現例を示した図である。
【図７】図６のＡ部分の拡大図である。
【図８】図４のＡ部分の拡大図である。
【発明を実施するための形態】
【００２３】
以下、添付された図面を参照して本発明を詳しく説明する。本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００２４】
本願発明は、二次電池用パウチ外装材に関する。前記パウチ外装材は、１つのパウチフィルムに第１カップ及び第２カップが形成され、前記カップ同士が所定幅を有するカップ連結部を介在して離隔している。本願発明の具体的な一実施例によれば、前記第１カップと第２カップとは内部が対面するように重ねられて電極組立体を収容できる電極組立体収容部を形成する。また、前記パウチ外装材の外周面には前記第１カップ、第２カップ及びカップ連結部から延設されたシーリング部が備えられている。
【００２５】
図３は、本発明の具体的な一実施例によるパウチ外装材を示した斜視図である。これを参照すれば、前記パウチ外装材１００は、１つのパウチフィルムに第１カップ１１０及び第２カップ１２０が形成され、前記第１カップと第２カップとの間には所定の幅を有するカップ連結部１３０が備えられている。すなわち、前記第１カップ１１０と第２カップ１２０とは前記カップ連結部１３０の幅Ｗほど離隔している。前記パウチ外装材１００は、前記カップ１１０、１２０とカップ連結部１３０との連結部分に位置する仮想の折曲線に沿って折り曲げられ、第１カップと第２カップとが対向して重ねられて電極組立体収容部を形成する。前記折曲線は、第１カップとカップ連結部とが共有する辺、及び／または第２カップとカップ連結部とが共有する辺であり得る。また、前記パウチ外装材の外周面には所定の幅を有するシーリング部１４０が形成されており、第１カップと第２カップとを重ねて第１カップと第２カップとのシーリング部を対面させた後、シーリング部を加熱してパウチ外装材を密封する。
【００２６】
図面において、指示線の終端が波線（〜）で示された部分は、指示線が示す部分の空間を意味する。
【００２７】
また、本明細書において、前記第１カップ及び第２カップの底面１７１、１７２は、パウチ外装材の密封によって形成される二次電池においてそれぞれ上面及び下面を形成する。そして、前記パウチ外装材において、第２側面部１１２、１２２はシーリング部で連結されて二次電池の上側面を形成し、第３側面部１１３、１２３はシーリング部で連結されて二次電池の左側面または右側面を形成し、第１側面部１１１、１２１はカップ連結部とともに下側面を形成する。本明細書において、上、下、左、右は相対的な概念であって、絶対的な位置を決定するものではない。例えば、図５を参照すれば、パウチ外装材で密封された二次電池において、電極端子が引き出される部分が上側面、上側面と対向する部分であってカップ連結部を含む面が下側面、前記上側面と下側面の外の側面であってシーリング部が形成された部分がそれぞれ左側面及び右側面である。
【００２８】
図４は、前記パウチ外装材１００に電極組立体２００が収容される様子を図式化して示した図である。本発明の具体的な一実施例において、パウチ外装材１００は直方体状の電極組立体を収容する形状で形成され、このとき、前記パウチ外装材は４つの側面のうち３つの側面（上側面、左側面及び右側面）のみが開放され、残りの側面（下側面）は連結部によって連結されて開放されないため、電極組立体の電極端子は開放される３つの側面から引き出されるように設けられることが望ましい。図４を参照すれば、前記電極組立体２００は電極端子が上側面から引き出されるように形成されている。
【００２９】
本発明の具体的な一実施例によれば、前記第１カップ１１０及び第２カップ１２０は、前記カップ連結部１３０から延びる第１側面部１１１、１１２、及び前記第１側面部と対向する第２側面部１１２、１２２を含み、前記第１カップの第１側面部１１１の高さＨａ１と第２カップの第１側面部１２１の高さＨａ２と前記幅Ｗとの和は、第１カップの第２側面部１１２の高さＨｂ１と第２カップの第２側面部１２２の高さＨｂ２との和と同一である。また、前記カップにおいて、それぞれの第１側面部と第２側面部とは対向する２つの第３側面部１３１、１３２を介して連結されている。
【００３０】
図５は、本発明の具体的な一実施例によるパウチ外装材１００をシーリングして密封した状態を示した図である。パウチ外装材において、第１カップの高さと第２カップの高さとは、収容される電極組立体の高さを考慮して設定され、一般に、第１カップの高さは電極組立体の高さから第２カップの高さを引いた高さにすることができ、そこに適切な余裕空間を設定し加えて決定することができる。または、既設定された電池の厚さの１／２ずつを各カップの高さにすることができる。このように設定されたカップの高さをカップの全側面、例えば４つの側面に全て適用する場合、カップとカップとが連結される部分に上述したような突出部が形成され得る。本発明は、このような問題を解決するためのものであって、カップの側面部の高さを同一に設定せず、カップ連結部から延びる側面部（第１側面部）の高さを、それと対向する部分に位置する側面部（第２側面部）の位置より低く設定し、前記第１側面部と第２側面部との高さの差をカップ連結部で補償した。
【００３１】
図５を参照すれば、パウチ外装材１００を密封した後、カップ連結部１３０は第１カップの第１側面部及び第２カップの第１側面部とともに二次電池の下側面を形成するため、密封時に真空が加えられても二次電池の側面から外部に突出する現象を防止することができる。
【００３２】
本発明の具体的な一実施例によれば、前記第１側面部と第２側面部とは第３側面部を介して連結されるため、第３側面部における第１側面部と連結される辺の長さは第２側面部と連結される辺の長さより短くすることができる。
【００３３】
本発明の具体的な一実施例によれば、前記パウチ外装材１００は、前記第３側面部とシーリング部との間に第１側面部と第２側面部との高さの差を補う段差補償部１５０が備えられ、前記段差補償部は前記第３側面部と一辺を共有する三角形状に形成される。
【００３４】
前記パウチ外装材１００において、第３側面部１３１、１３２は二次電池の一側面部を形成するものである。しかし、第３側面部１３１、１３２において、第１側面部１１１、１２１と共有する辺（第１辺）の長さと第２側面部１１２、１２２と共有する辺（第２辺）の長さとが相異なるため、このような長さの差を補償できる補償面が必要となる。本発明の具体的な一実施例によれば、前記第１辺と第２辺との長さの差を補うため、前記パウチ外装材は段差補償部１５０を備える。本発明の具体的な一実施例では、前記段差補償部において前記第１側面部の一辺から延びる段差補償部１５０の一辺の長さは、第１側面部と第２側面部との高さの差と同一であり得る。または、前記高さの差より長いこともあり得る。このような場合は、パウチ外装材を密封した後、前記段差補償部が第３側面部の平面から外側、すなわち外方に突出し得る。本発明の具体的な一実施例によれば、前記第３側面部及び前記段差補償部は前記パウチ外装材の電極組立体収容部の左側面及び右側面を形成する。
【００３５】
本発明の具体的な一実施例によれば、前記パウチ外装材１００は、前記第１カップの第１段差補償部、第２カップの段差補償部、シーリング部及びカップ連結部が長方形の折曲部とそれぞれ一辺を共有し、前記折曲部を通じて相互連結できる。本発明の具体的な一実施例によれば、前記パウチ外装材は軟性のある１枚のパウチフィルムの所定部分を陥没させて第１カップ、第２カップ及びカップ連結部を一体に形成し、陥没しない部分のうち、前記パウチフィルムの外周部分はパウチ外装材の密封のためのシーリング部にし、シーリング部と第３側面部との間には第１側面部と第２側面部との高さの差を補う段差補償部を形成する。このようにすべての構成部分が１枚のパウチフィルムに一体に形成される場合、第１カップの第１段差補償部、第２カップの段差補償部、シーリング部及びカップ連結部の間に、二次電池の外側面の形成に寄与しない折曲部１６０が発生する。本発明の具体的な一実施例によれば、前記折曲部はパウチ外装材１００を折り曲げて電極組立体収容部を形成し、外周面をシーリングして密封するとき、適切に折り曲げられて二次電池の内部に引っ込むようにすることができる。前記折曲部１６０を切断して除去する場合は、前記第１カップの第１段差補償部、第２カップの段差補償部、シーリング部及びカップ連結部の間に隙間が生じてこれらの間が密封されないこともあり、別途のシーリング部を設けなければならないため、上記のように折り曲げて内部に引き込むことが望ましい。
【００３６】
図６及び図７は、前記折曲部１６０を折り曲げて二次電池の内側（内部側、ｉｎｓｉｄｅ）に引き込む過程を図式化して示した図である。また、図８は図４のＡ部分の拡大図であり、示された点線１６０ｌを折曲線にして折曲部が電池の内側に引っ込むように折り曲げられる。
【００３７】
また、前記パウチ外装材を含む二次電池を提供する。前記二次電池は、本発明による前記パウチ外装材の内部に電極組立体及び電解液を含み、電極組立体及び電解液を前記パウチ外装材に収納し密封して製造することができる。
【００３８】
本発明の具体的な一実施例において、前記パウチ外装材のシーリング部４０は、熱融着などの方式で接着することができる。前記パウチ外装材は、外部絶縁層、金属層及び内部絶縁層から構成できる。ここで、外部絶縁層は、二次電池と外部との絶縁性を確保するため、ポリエチレンテレフタレート（ｐｏｌｙｅｔｈｙｌｅｎｅ ｔｅｒｅｐｈｔｈａｌａｔｅ、ＰＥＴ）樹脂またはナイロン（ｎｙｌｏｎ）樹脂などの絶縁物質から構成できる。望ましくは、前記外部絶縁層は、金属層を保護し、外部からの圧力または力に対して保護する目的で使用されるため、包装材の耐候性、耐化学性、成形性をなどを考慮して二軸方向に延伸したポリエステル系樹脂層及び／または延伸ポリアミド系樹脂層から構成されたものが望ましい。前記外部絶縁層は、５μｍ〜５０μｍが望ましく、より望ましくは１５μｍ〜３０μｍ程度である。厚さが薄すぎれば、その層自体にピンホールが発生する恐れがあり、また、外力に対する保護効果が減少する。
【００３９】
前記ポリエステル系樹脂の例としては、ポリエチレンテレフタレート（ＰＥＴ）、ポリブチレンテレフタレート（ＰＢＴ）、ポリエチレンナフタレート（ＰＥＮ）、ポリブチレンナフタレート（ＰＢＮ）、共重合ポリエステル、またはポリカーボネート（ＰＣ）フィルムなどがあり、前記二軸延伸したポリアミドフィルム樹脂として、ナイロン（ｎｙｌｏｎ）６、ナイロン６．６、ナイロン６とナイロン６．６との共重合体、ナイロン６．１０及びポリメタキシレンアジパミド（ＭＸＤ６）などからなる群より選択された１つ以上の成分で単一または複合層を構成することができる。また、耐熱性、耐候性、耐化学性が改善されたポリオレフィン系樹脂であれば、それを適用して層を構成することができる。前記外部絶縁層は、ドライラミネート、押出ラミネートなどの方法で金属層と接着される。
【００４０】
本発明の具体的な一実施例において、前記内部絶縁層は、無延伸ポリプロピレン（ｃａｓｔｅｄ ｐｏｌｙｐｒｏｐｙｌｅｎｅ：ＣＰＰ）のような変性ポリプロピレン、ポリプロピレン−ブチレン−エチレン三元共重合体などの熱融着性高分子樹脂を含み、前記熱融着性高分子樹脂は上部パウチと下部パウチとの接着のためのシーラントとして機能する。前記内部絶縁層は前記金属層の他面に適切な厚さでコーティングまたはラミネーティングされ、２０μｍ〜４０μｍまたは３０μｍ〜４０μｍの厚さで形成されることが望ましい。本明細書において、前記内部絶縁層の厚さに対する数値範囲は後述する電極リード引出領域（ＥＬ）に対しては適用しない。
【００４１】
本発明の具体的な一実施例において、前記金属層は金属薄膜であって、銅（Ｃｕ）、アルミニウム（Ａｌ）、ニッケル（Ｎｉ）、鉄（Ｆｅ）、炭素（Ｃ）、クロム（Ｃｒ）、マンガン（Ｍｎ）及びこのうち２つ以上を含む合金からなる群より選択された金属を含むことができるが、これらに限定されることはない。本発明において、望ましくは前記金属層はアルミニウムを含む。
【００４２】
本発明において、前記電極組立体２００は、正極板と負極板とがセパレータを介在して配置された形態で構成される。このとき、電極組立体２００は、１つの正極板と１つの負極板とがセパレータを介在して巻き取られた構造を有するか、または、複数の正極板と複数の負極板とがセパレータを介在して積層された構造を有し得る。そして、このような正極板及び負極板は、それぞれ、電極集電体に活物質スラリーが塗布された構造で形成され、スラリーは、通常、粒状の活物質、補助導体、バインダー及び可塑剤などを溶媒に添加した状態で撹拌して形成することができる。
【００４３】
一方、電極組立体２００には、電極板にスラリーが塗布されていない無地部が存在し得、このような無地部にはそれぞれの電極板に対応する電極タブが備えられ得る。すなわち、電極組立体の正極板には正極タブが取り付けられ、電極組立体の負極板には負極タブが取り付けられ得る。前記正極タブ及び負極タブは正極リード及び負極リードに電気的に連結されて電極端子２１０を形成し、前記電極端子２１０がパウチ外装材１００の外部に引き出される。
【００４４】
また、その他、本明細書で詳述していない電池素子、例えば分離膜、導電材、バインダー樹脂、電解液などとしては、電池分野、特にリチウム二次電池分野で通常使用される素子を使用することができる。
【００４５】
以上のように、本発明を限定された実施例と図面によって説明したが、本発明はこれに限定されるものではなく、本発明の属する技術分野で通常の知識を持つ者によって本発明の技術思想と特許請求の範囲の均等範囲内で多様な修正及び変形が可能であることは言うまでもない。
【符号の説明】
【００４６】
１０ａ、１０ｂ、１００：パウチ外装材
２０、２００：電極組立体
２１、２１０：電極端子
１１ａ、１１ｂ、１１０：第１カップ
１２ａ、１２ｂ、１２０：第２カップ
１３０：カップ連結部
４０、１４０：シーリング部
１１１、１２１：第１側面部
１１２、１２２：第２側面部
１１３、１２３：第３側面部
１５０：段差補償部
１６０：折曲部
ｌａ：全長
【図１】
0006563589.tif 000002
【図２ａ】
0006563589.tif 000003
【図２ｂ】
0006563589.tif 000004
【図３】
0006563589.tif 000005
【図４】
0006563589.tif 000006
【図５】
0006563589.tif 000007
【図６】
0006563589.tif 000008
【図７】
0006563589.tif 000009
【図８】
0006563589.tif 000010